(57)【特許請求の範囲】
【請求項１】
複数の器具が接続された流量計測装置において、
流量計測部と、
時間計測部と、を有し、
前記時間計測部の計時に対応して前記流量計測部で得られた、時間的に連続する第１の所定流量値と第２の所定流量値とが検出され、前記第２の所定流量値の検出が、前記第１の所定流量値の検出開始時点より所定時間以内で検出された場合に、前記複数の器具から特定器具を判別する流量計測装置。
【請求項２】
前記第１の所定流量値が前記特定器具の種火流量であり、前記第２の所定流量値が前記特定器具の主バーナーの点火流量であることを特徴とする請求項１に記載の流量計測装置。
【発明の詳細な説明】
【技術分野】
【０００１】
本発明は、ガス流量から使用ガス器具を判別する技術に関するものである。
【背景技術】
【０００２】
従来、ガス機器固有の流量値より器具を特定する技術は世の中で知られている（例えば、特許文献１参照）。
【先行技術文献】
【特許文献】
【０００３】
【特許文献１】特開２００６−２００８０２号公報
【発明の概要】
【発明が解決しようとする課題】
【０００４】
しかしながら、従来ものでは、異なるガス器具で、同じ流量値のものが存在する場合には、識別することが困難であった。
【０００５】
本発明は、前記従来の課題を解決するもので、特定のガス器具における固有の流量変化特性に基づき、該当器具を確実に特定するものである。
【課題を解決するための手段】
【０００６】
前記従来の課題を解決するために、本発明の流量計測装置は連続する安定流量値を取得して器具を特定するものである。
【０００７】
これによって、確実に特定のガス器具判別を行えるようにしたものである。
【発明の効果】
【０００８】
本発明の流量計測装置は、連続する安定流量値を取得して器具を特定することにより、該当器具の確実な判別を行うことができる。とりわけ、種火着火のような器具の判別を行うことができる。
【図面の簡単な説明】
【０００９】
【図１】本発明の実施の形態１における構成図
【図２】本発明の実施の形態１におけるフローチャート
【図３】本発明の実施の形態１における特性図
【発明を実施するための形態】
【００１０】
第１の発明は、複数の器具が接続された流量計測装置において、流量計測部と、時間計測部と、を有し、前記時間計測部の計時に対応して前記流量計測部で得られた、時間的に連続する第１の所定流量値と第２の所定流量値との検出により、前記複数の器具から特定器具を判別することにより、種火着火の器具を確実に判別することができる。
【００１１】
第２の発明は、前記第２の所定流量値の検出が、前記第１の所定流量値の検出開始時点より所定時間以内で検出された場合に、前記複数の器具から特定器具を判別することにより、種火着火の器具をさらに確実に判別することができる。
【００１２】
以下、本発明の実施の形態について、図面を参照しながら説明する。なお、この実施の形態によって本発明が限定されるものではない。
【００１３】
（実施の形態１）
実施の形態１について、図１〜図３を用いて説明する。
【００１４】
図１は、本発明の実施の形態１における構成図を示すものである。図に示すように、流量計測装置１は、流量計測部２、時間計測部３を有している。また、流量計測部２、及び時間計測部３からの計測情報を記憶する計測情報記憶部４を有している。また、登録情報記憶部５と、計測情報記憶部４からの情報により器具判別を行う器具判別部６を有している。
【００１５】
流量計測装置１はその下流側に器具Ａ７、器具Ｂ８，器具Ｃ９が接続されている。
【００１６】
図２は、本発明の実施の形態１におけるフローチャートを示すものである。
【００１７】
処理Ｓ１は流量計測処理、処理Ｓ２は計測された流量が第１の所定流量かどうかの判断処理、処理Ｓ３は第１の所定流量が計測された時の時間ｔ１の記憶処理、処理Ｓ４は流量計測処理、処理Ｓ５は処理Ｓ４で計測された流量が所定以上の変化流量かどうかの判断処理、処理Ｓ６は計測された流量が第２の所定流量かどうかの判断処理、処理Ｓ７は第２の所定流量が計測された時の時間ｔ２の記憶処理、処理Ｓ８は器具特定処理である。
【００１８】
以上のように構成された流量計測装置１について、以下、その動作、作用を説明する。
【００１９】
まず、図１において、計測系全体の説明を行う。
【００２０】
ガス等の被計測流体は、矢印Ａの方向から流量計測装置１の流量計測部２に流入する。その後、器具Ａ７、器具Ｂ８、器具Ｃ９等に流れ込む。流量計測部２では、時間計測部３から発せられる時間タイミングで流量計測が行われる。また、そのときの経過時間も流量計測部２に蓄えられる。
【００２１】
計測情報記憶部４では、流量計測部２からの流量情報と時間情報が記憶される。この情報は予め登録情報記憶部５に記憶されている情報に照らし合わせ、器具判別部６にて、器具の特定が行われる。
【００２２】
従来、一般的に知られている器具の判別方法としては、器具固有の一定流量（例えば、ストーブでの強、中、弱）の値を用いて器具の特定が行われる。
【００２３】
ところが、器具によっては、種火を着火してから主バーナに着火するタイプの機器がある（例えば、欧州で使われている暖炉等）。
【００２４】
図３はこのような器具の流量特性を示したものである。
【００２５】
この図の場合、まず、時間ｔ１で種火が着火され、第１の所定流量Ｑ１（種火流量）が流れる。その後、時間ｔ２で主バーナに着火が行われ、第１の所定流量Ｑ１に比べ大きな第２の所定流量Ｑ２が流れる。つまり、第１の所定流量Ｑ１に引続き連続して第２の所定流量Ｑ２が流れるという、固有の流量パターンが生じることになる。これは、この種の器具特有のものであり、この特性を利用することに器具特定が可能となる。
【００２６】
ここで、図１に示す器具Ａ７がこの種のタイプの器具であり、器具Ｂ８、器具Ｃ９が一般的に固有流量をひとつしか持たないタイプの器具であるとして、図２のフローチャートを用いて、器具Ａ７の特定過程を説明する。
【００２７】
まず、判別動作が開始されると、流量計測部２での計測（処理Ｓ１）が行われる。次に、取得された流量が第１の所定流量Ｑ１かどうかを判断（処理Ｓ２）し、第１の所定流量Ｑ１でない場合は、再び流量計測部２での計測（処理Ｓ１）が実行される。
【００２８】
そして、取得された流量が第１の所定流量Ｑ１に該当する場合は、そのときの時間ｔ１が記憶される（処理Ｓ３）。ここでの記憶は、新たに処理Ｓ２での判定がＹｅｓの側になる都度、更新されるものとする。
【００２９】
次に、再び流量計測部２での計測（処理Ｓ４）が実行され、流量変化の有無を判断（処理Ｓ５）し、所定以上の流量変化がなければ処理Ｓ４による流量計測を繰り返して、次の流量変化があるまで流量計測が引続き行われる。
【００３０】
そして、流量変化があった場合に、取得された流量が第２の所定流量Ｑ２かどうかを判断（処理Ｓ６）し、第２の所定流量Ｑ２でない場合は、再び流量計測部２での計測（処理Ｓ１）が実行される。
【００３１】
また、取得された流量が第２の所定流量Ｑ２に該当する場合は、そのときの時間ｔ２が記憶（処理６）される。ここでの時間ｔ２の記憶も、新たに処理Ｓ６での判定がＹｅｓの側になる都度、更新されるものとする。
【００３２】
このようにして、第１の所定流量Ｑ１が取得され、連続して第２の所定流量Ｑ２が取得された場合は、器具Ａ７の運転が行われていることを特定（処理Ｓ７）する。
【００３３】
しかしながら、たまたまガス漏れの流量がＱ１であり、器具Ｂ８の流量が（Ｑ２―Ｑ１）であった場合は、間違った検出をすることになる。
【００３４】
そのような場合を想定すると、記憶された時間ｔ１とｔ２より、第１の所定流量Ｑ１の時間（ｔ２−ｔ１）を算出して、この値が所定時間以内がどうかを判定に加えることにより、判定精度を上げることができる。
【００３５】
すなわち、通常この種の器具を使用する場合は、種火に着火してからすぐに主バーナに点火するのが一般的なため、種火着火から主バーナ点火までの想定される最大時間を所定時間とすることにより、この種の器具以外の状況との区別を図ることができるものである。
【産業上の利用可能性】
【００３６】
以上のように、本発明にかかる流量計測装置は、連続する安定流量値を取得して器具を確実に特定することができるため、本特性を有する器具の判別技術として、幅広い応用が可能となるものである。
【符号の説明】
【００３７】
１  流量計測装置
２  流量計測部
３  時間計測部
７  器具Ａ
８  器具Ｂ
９  器具Ｃ
【図１】
0006043947.tif 000002
【図２】
0006043947.tif 000003
【図３】
0006043947.tif 000004